【手続補正書】
【提出日】平成29年9月15日(2017.9.15)
【手続補正１】
【補正対象書類名】特許請求の範囲
【補正対象項目名】全文
【補正方法】変更
【補正の内容】
【特許請求の範囲】
【請求項１】
オンライン・システムが、クライアント・デバイス上で実行されているアプリケーションからのアプリケーション・ユーザ識別子（ＩＤ）の要求を受け取る工程であって、前記アプリケーション・ユーザＩＤは、前記アプリケーションの識別子であり、前記クライアント・デバイスのユーザに固有である、工程と、
前記オンライン・システムが、前記クライアント・デバイスの一意な識別子を取り出す工程と、
前記オンライン・システムが、前記クライアント・デバイスの前記一意な識別子に基づき、前記ユーザを識別する情報を取り出す工程であって、前記情報は前記オンライン・システムによって保持されており、前記クライアント・デバイスは前記オンライン・システムとは別個である、取出工程と、
前記オンライン・システムが、前記ユーザを識別する前記情報を暗号化することによって、前記アプリケーション・ユーザＩＤを生成する識別子生成工程と、
前記オンライン・システムが、前記アプリケーション・ユーザＩＤを、前記アプリケーションに関連付けられている広告主に対して送信する工程であって、前記広告主は前記クライアント・デバイスおよび前記オンライン・システムとは別個である、工程と、
前記広告主から、広告と、前記アプリケーション・ユーザＩＤとを含む広告要求を受け取る工程と、
前記オンライン・システムが、前記広告要求に含まれている前記アプリケーション・ユーザＩＤを復号することによって、前記広告要求に含まれている前記アプリケーション・ユーザＩＤが前記ユーザに対応することを判定する工程と、
前記オンライン・システムが、前記クライアント・デバイスを介して前記ユーザに対して１つまたは複数の広告を提示するための機会を識別する工程と、
前記広告要求に含まれている前記アプリケーション・ユーザＩＤが前記ユーザに対応すると判定することに応じて、前記オンライン・システムが、受け取った前記広告要求に含まれている前記広告を、前記ユーザに対する提示用に前記クライアント・デバイスに送信する広告送信工程と、
を備える方法。
【請求項２】
前記ユーザに関連付けられている前記アプリケーション・ユーザＩＤを記憶する工程
をさらに備える、請求項１に記載の方法。
【請求項３】
前記ユーザを識別する前記情報は、前記クライアント・デバイスを識別する情報を含む、請求項１に記載の方法。
【請求項４】
前記取出工程は、
前記要求に含まれている前記ユーザの前記アイデンティティについて記述する前記情報を、前記オンライン・システムによって記憶されている情報と比較する工程と、
前記要求に含まれている前記ユーザの前記アイデンティティについて記述する前記情報にマッチしている前記オンライン・システムによって記憶されている情報に関連付けられている情報を取り出す工程と、を含む請求項１に記載の方法。
【請求項５】
前記ユーザを識別する前記情報は、前記オンライン・システムによって前記ユーザに関連付けられているユーザ識別子、前記ユーザに関連付けられている電話番号、前記ユーザに関連付けられているＥメール・アドレス、およびそれらの任意の組合せからなるグループから選択される、請求項１に記載の方法。
【請求項６】
前記識別子生成工程は、
前記ユーザを識別する前記情報に関連付けられている１つまたは複数のプライバシー設定を取り出す工程と、
前記ユーザを識別する前記情報に関連付けられているプライバシー設定によって前記生成が承認される場合、前記ユーザを識別する前記情報を暗号化することによって、前記アプリケーション・ユーザＩＤを生成する工程と、を含む請求項１に記載の方法。
【請求項７】
前記広告送信工程は、
前記広告要求に含まれている前記広告を含む複数の広告を、前記ユーザに対する提示用に、前記広告の各々に関連付けられている入札額に少なくとも部分的に基づいて、ランク付けする工程と、
前記ランク付けと、前記ユーザに関連付けられている前記識別子が、受け取られた前記アプリケーション・ユーザＩＤにマッチしているか否かとに少なくとも部分的に基づいて、前記広告要求に含まれている前記広告を、前記クライアント・デバイスに対する送信用に選択する工程と、を含む請求項１に記載の方法。
【請求項８】
コンピュータ・プログラム・コードを含む非一時的なコンピュータ可読記憶媒体を含むコンピュータ・プログラム製品であって、前記コンピュータ・プログラム・コードは、１つまたは複数のプロセッサによる実行時、前記１つまたは複数のプロセッサに
オンライン・システムが、クライアント・デバイス上で実行されているアプリケーションからのアプリケーション・ユーザ識別子（ＩＤ）の要求を受け取る工程であって、前記アプリケーション・ユーザＩＤは、前記アプリケーションの識別子であり、前記クライアント・デバイスのユーザに固有である、工程と、
前記オンライン・システムが、前記クライアント・デバイスの一意な識別子を取り出す工程と、
前記オンライン・システムが、前記クライアント・デバイスの前記一意な識別子に基づき、前記クライアント・デバイス上で実行されているアプリケーションからの前記オンライン・システムのユーザのアイデンティティについて記述する情報を受け取る工程であって、前記要求は前記ユーザの前記アイデンティティについて記述する情報を含み、前記クライアント・デバイスは前記オンライン・システムとは別個である、工程と、
前記オンライン・システムが、前記ユーザを識別する前記情報を暗号化することによって、前記アプリケーション・ユーザＩＤを生成する識別子生成工程と、
前記オンライン・システムが、前記ユーザの前記アイデンティティに関連付けられている前記アプリケーション・ユーザＩＤを、前記クライアント・デバイス上で実行されてい
る前記アプリケーションに関連付けられている広告主に対して送信する工程であって、前記広告主は前記クライアント・デバイスおよび前記オンライン・システムとは別個である、工程と、
前記広告主から、広告と、前記アプリケーション・ユーザＩＤとを含む広告要求を受け取る工程と、
前記オンライン・システムが、前記広告要求に含まれている前記アプリケーション・ユーザＩＤを復号することによって、前記広告要求に含まれている前記アプリケーション・ユーザＩＤが前記ユーザに対応することを判定する工程と、
前記オンライン・システムが、前記クライアント・デバイスを介して前記ユーザに対して１つまたは複数の広告を提示するための機会を識別する工程と、
前記広告要求に含まれている前記アプリケーション・ユーザＩＤが前記ユーザに対応すると判定することに応じて、前記オンライン・システムが、受け取った前記広告要求に含まれている前記広告を、前記ユーザに対する提示用に前記クライアント・デバイスに送信する広告送信工程と、を備える方法を実行させる、コンピュータ・プログラム製品。
【請求項９】
前記広告要求に含まれている前記アプリケーション・ユーザＩＤが前記ユーザに対応すると判定することに応じて、前記オンライン・システムが、前記広告要求に含まれている前記広告を、前記ユーザに関連付けられている前記クライアント・デバイスに対する提示用に提供する工程をさらに備える、請求項８に記載のコンピュータ・プログラム製品。
【請求項１０】
前記ユーザの前記アイデンティティについて記述する前記情報は、前記クライアント・デバイスを識別する情報を含む、請求項８に記載のコンピュータ・プログラム製品。
【請求項１１】
前記オンライン・システムが前記ユーザを識別するために用いる情報は、前記オンライン・システムによって前記ユーザに関連付けられているユーザ識別子、前記ユーザに関連付けられている電話番号、前記ユーザに関連付けられているＥメール・アドレス、およびそれらの任意の組合せからなるグループから選択される、請求項８に記載のコンピュータ・プログラム製品。
【請求項１２】
生成された前記アプリケーション・ユーザＩＤを記憶する工程をさらに備える、請求項８に記載のコンピュータ・プログラム製品。
【請求項１３】
前記識別子生成工程は、
前記要求に含まれている前記ユーザの前記アイデンティティについて記述する前記情報を記憶する工程と、
前記ユーザの前記アイデンティティについて記述する前記情報と、前記オンライン・システムの前記ユーザとの間における関連付けを記憶する工程と、を含む請求項８に記載のコンピュータ・プログラム製品。
【請求項１４】
前記識別子生成工程は、
前記オンライン・システムによって前記ユーザに関連付けられている１つまたは複数のプライバシー設定を取り出す工程と、
前記ユーザを識別する前記情報に関連付けられているプライバシー設定によって前記生成が承認される場合、前記ユーザに関連付けられている前記識別子を生成する工程と、を含む請求項８に記載のコンピュータ・プログラム製品。
【請求項１５】
前記広告要求に含まれている前記アプリケーション・ユーザＩＤが、前記ユーザに関連付けられている前記１つまたは複数の識別子のうちの１つ以上にマッチしているか否かの判定は、さらに、前記オンライン・システムによって前記ユーザに関連付けられている１つまたは複数のプライバシー設定に少なくとも部分的に基づく、請求項８に記載のコンピ
ュータ・プログラム製品。
【請求項１６】
プロセッサと、
前記プロセッサに結合されているコンピュータ可読記憶媒体と、を備えるシステムであって、前記コンピュータ可読記憶媒体上に命令が符号化されており、前記命令は前記プロセッサによる実行時、前記プロセッサに、
オンライン・システムが、クライアント・デバイス上で実行されているアプリケーションからのアプリケーション・ユーザ識別子（ＩＤ）の要求を受け取る工程であって、前記アプリケーション・ユーザＩＤは、前記アプリケーションの識別子であり、前記クライアント・デバイスのユーザに固有である、工程と、
前記オンライン・システムが、前記クライアント・デバイスの一意な識別子を取り出す工程と、
前記クライアント・デバイスの前記一意な識別子に基づき、前記オンライン・システムの前記ユーザのアイデンティティについて記述する情報を受け取る工程であって、前記クライアント・デバイスは前記オンライン・システムとは別個である、工程と、
前記オンライン・システムが、前記ユーザを識別する前記情報を暗号化することによって、前記アプリケーション・ユーザＩＤを生成する識別子生成工程と、
前記アプリケーション・ユーザＩＤを、前記アプリケーションに関連付けられている広告主に対して送信する工程であって、前記広告システムはクライアント・デバイスおよび前記オンライン・システムとは別個である、工程と、
前記広告主から、広告と、前記アプリケーション・ユーザＩＤとを含む広告要求を受け取る工程と、
前記オンライン・システムが、前記広告要求に含まれている前記アプリケーション・ユーザＩＤを復号することによって、前記広告要求に含まれている前記アプリケーション・ユーザＩＤが前記ユーザに対応することを判定する工程と、
前記オンライン・システムが、前記クライアント・デバイスを介して前記ユーザに対して１つまたは複数の広告を提示するための機会を識別する工程と、
前記アプリケーション・ユーザＩＤを解読することによって、前記広告要求に含まれている前記アプリケーション・ユーザＩＤが前記ユーザに対応すると判定することに応じて、前記オンライン・システムが、受け取った前記広告要求に含まれている前記広告を、前記ユーザに対する提示用に前記クライアント・デバイスに送信する広告送信工程と、
を行わせる、システム。